(57)【特許請求の範囲】
【請求項１】
かご室と、かご室の出入り口を開閉する乗りかごドアを有する乗りかごにおける前記かご室に移動可能に支持された気密機構ボディと、
前記気密機構ボディに設けられた押込み気密部材と、
前記乗りかごドアの戸閉時に前記気密機構ボディを移動させる移動機構と、
前記乗りかごドアに設けられ、前記気密機構ボディの移動によって前記押込み気密部材が接触する被接触部材と、を備えた乗りかごドア気密装置において、
前記気密機構ボディは、前記乗りかごドアの内面と略平行な回転軸を中心に回転可能に構成されており、
前記移動機構は、前記乗りかごドアの戸閉時に前記気密機構ボディを回転させ、
前記被接触部材は、水平方向に略平行な水平部及び鉛直方向の略平行な鉛直部を有し、
前記押込み気密部材は、前記気密機構ボディの回転により水平方向及び鉛直方向へ変位し、前記被接触部材の前記水平部及び前記鉛直部に接触する
ことを特徴とする乗りかごドア気密装置。
【請求項２】
前記気密機構ボディは、前記移動機構が作用しない場合に前記押込み気密部材が前記被接触部材から離れた状態で安定するように重心位置が設定されている
ことを特徴とする請求項１に記載の乗りかごドア気密装置。
【請求項３】
前記移動機構は、
前記気密機構ボディに設けられたロッドと、
前記ロッドに設けられた係合ローラと、
前記乗りかごドアに設けられ、前記乗りかごドアの戸閉時に前記係合ローラと係合し、前記気密機構ボディを回転させる傾斜カムと、を有する
ことを特徴とする請求項１又は２に記載の乗りかごドア気密装置。
【請求項４】
前記傾斜カムと前記被接触部材が、一体となっている
ことを特徴とする請求項３に記載の乗りかごドア気密装置。
【請求項５】
前記傾斜カムと前記被接触部材が、それぞれ別々に設けられている
ことを特徴とする請求項３に記載の乗りかごドア気密装置。
【請求項６】
前記傾斜カムと前記係合ローラがそれぞれ対となって複数設けられている
ことを特徴とする請求項３に記載の乗りかごドア気密装置。
【請求項７】
かご室及びかご室を開閉する乗りかごドアを有する乗りかごと、
前記乗りかごを吊持するロープと、
前記ロープが巻き掛けられ、前記ロープを駆動して前記乗りかごを昇降させる巻上機と、
前記かご室外の気圧に応じて前記かご室内の気圧を制御する気圧制御装置と、
前記かご室と前記乗りかごドアとの隙間を塞ぐ乗りかごドア気密装置と、を備え、
前記乗りかごドア気密装置は、
前記かご室に移動可能に支持された気密機構ボディと、
前記気密機構ボディに設けられた押込み気密部材と、
前記乗りかごドアの戸閉時に前記気密機構ボディを移動させる移動機構と、
前記乗りかごドアに設けられ、前記気密機構ボディの移動によって前記押込み気密部材が接触する被接触部材と、を備えた乗りかごドア気密装置において、
前記気密機構ボディは、前記乗りかごドアの内面と略平行な回転軸を中心に回転可能に構成されており、
前記移動機構は、前記乗りかごドアの戸閉時に前記気密機構ボディを回転させ、
前記被接触部材は、水平方向に略平行な水平部及び鉛直方向の略平行な鉛直部を有し、
前記押込み気密部材は、前記気密機構ボディの回転により水平方向及び鉛直方向へ変位し、前記被接触部材の前記水平部及び前記鉛直部に接触する
ことを特徴とするエレベーター装置。
【請求項８】
前記乗りかごドアが複数設けられており、前記複数の乗りかごドアそれぞれに前記乗りかごドア気密装置を設けた
ことを特徴とする請求項７に記載のエレベーター装置。
【発明の詳細な説明】
【技術分野】
【０００１】
本発明は、乗りかご内の気圧を制御する乗りかごドア気密装置、及びその乗りかごドア気密装置を備えたエレベーター装置に関する。
【背景技術】
【０００２】
近年、建物の高層化に伴いエレベーター装置の昇降速度が増加する傾向にあり、例えば、１０００ｍ／分を超える高速エレベーター装置が実用化されている。長行程の高速エレベーター装置では、乗りかご室内の急激な気圧変動によって耳詰まりや不快感を乗客に与えることがある。そこで、乗りかご室外の気圧に応じて乗りかご室内の気圧を制御することにより、急激な気圧変動に伴う乗客の耳閉感を低減する気圧制御装置が提案されている。
【０００３】
ところで、気圧制御装置によって乗りかご室内の気圧を最適な状態に変化させるには、乗りかご室内の気密性を高める必要がある。この乗りかご室内の気密性を高める技術としては、例えば、特許文献１に記載されている。
【０００４】
特許文献１に記載された乗りかごドアの気密装置は、乗りかごドアの内面と略平行な回転軸を中心に回転可能な気密機構ボディと、気密機構ボディに設置された気密部材とを備えている。そして、乗りかごドアの戸閉時に気密機構ボディを回転させて、気密部材を乗りかごドアに接触させ、ドアと天枠との隙間を塞いで乗りかご室内を気密化する。
【先行技術文献】
【特許文献】
【０００５】
【特許文献１】国際公開第２０１２／０６６５８７号パンフレット
【発明の概要】
【発明が解決しようとする課題】
【０００６】
ところで、特許文献１に記載された乗りかごドア気密装置では、気圧制御により乗りかご室内の気圧が乗りかご室外の気圧よりも高くなると、乗りかごドアが外側に押し出される。この場合に、乗りかごドアと天枠の間の距離の変化量よりも、気密部材の押込み量が小さければ、乗りかごドアと気密部材との間に隙間が生じてしまう。
【０００７】
そこで、特許文献１に記載された乗りかごドア気密装置では、乗りかごドアが外側に押し出される場合の乗りかごドアと天枠との間の距離の変化量よりも、気密部材の押込み量を大きくして、乗りかごドアと気密部材との間に隙間が生じ難くしている。しかし、気密部材の押込み量を大きくすると、乗りかごドアが外側に押し出されていない場合の気密部材の反力が大きくなるため、ドアの開閉を妨げる可能性が生じる。
【０００８】
本発明の目的は、上記従来技術の課題を解決し、乗りかごの気密性を向上できる乗りかごドア気密装置及びエレベーター装置を提供することにある。
【課題を解決するための手段】
【０００９】
上記課題を解決し、本発明の目的を達成するため、本発明の乗りかごドア気密装置は、気密機構ボディと、気密機構ボディに設けられた押込み気密部材と、被接触部材と、移動機構とを備える。気密機構ボディは、かご室と、かご室の出入り口を開閉する乗りかごドアを有する乗りかごにおけるかご室に移動可能に支持される。移動機構は、乗りかごドアの戸閉時に気密機構ボディを移動させる。被接触部材は、乗りかごドアに設けられ、気密機構ボディの移動によって押込み気密部材が接触する。気密機構ボディは、乗りかごドアの内面と略平行な回転軸を中心に回転可能に構成されている。移動機構は、乗りかごドアの戸閉時に気密機構ボディを回転させる。また、被接触部材は、水平方向に略平行な水平部及び鉛直方向の略平行な鉛直部を有している。そして、押込み気密部材は、気密機構ボディの回転により水平方向及び鉛直方向へ変位し、被接触部材の水平部及び鉛直部に接触する。
【００１０】
また、本発明のエレベーター装置は、かご室及びかご室を開閉する乗りかごドアを有する乗りかごと、乗りかごを吊持するロープと、巻上機と、気圧制御装置と、乗りかごドア気密装置とを備える。巻上機は、ロープが巻き掛けられ、ロープを駆動して乗りかごを昇降させる。気圧制御装置は、かご室外の気圧に応じてかご室内の気圧を制御する。乗りかごドア気密装置は、上述の構成を有しており、かご室と乗りかごドアとの隙間を塞ぐ。
【発明の効果】
【００１１】
上記構成の乗りかごドア気密装置及びエレベーター装置によれば、乗りかごの気密性を向上することができる。
上記した以外の課題、構成及び効果は、以下の実施形態の説明により明らかにされる。
【図面の簡単な説明】
【００１２】
【図１】本発明の第１実施形態に係るエレベーター装置の構成例を示す構成図である。
【図２】本発明の第１実施形態に係る乗りかごを示す斜視図である。
【図３】図２におけるＡ−Ａ断面の戸開状態を示す側断面図である。
【図４】図２におけるＡ−Ａ断面の戸閉状態を示す側断面図である。
【図５】図４におけるＢ−Ｂ断面を示す平断面図である。
【図６】本発明の第２実施形態に係る乗りかごの戸閉状態のドア気密装置を示す側断面図である。
【発明を実施するための形態】
【００１３】
以下、本発明の乗りかごドア気密装置及びエレベーター装置を実施するための形態について、図１〜図６を参照して説明する。なお、各図において共通の部材には、同一の符号を付している。
【００１４】
＜第１実施形態＞
［エレベーター装置の構成］
まず、本発明の第１実施形態に係るエレベーター装置の構成について、図１を参照して説明する。
図１は、本発明の第１実施形態に係るエレベーター装置の構成例を示す構成図である。
【００１５】
図１に示すように、第１実施形態に係るエレベーター装置１は、建物構造物内に形成された昇降路１００内を昇降する乗りかご３及びつり合いおもり４と、主ロープ５と、シーブ６を有する巻上機７と、そらせ車８とを備えている。主ロープ５は、乗りかご３及びつり合いおもり４を吊持する。シーブ６には、主ロープ５が巻き掛けられ、そらせ車８には、主ロープ５が装架される。
【００１６】
昇降路１００は、建築構造物内に形成され、その頂部には機械室１１０が設けられている。巻上機７及びそらせ車８は、機械室１１０に配置されている。乗りかご３は、主ロープ５を介して、つり合いおもり４と連結されている。このように構成されたエレベーター装置１は、巻上機７のシーブ６が回転することで主ロープ５が駆動され、乗りかご３及びつり合いおもり４が互いに反対に昇降路１００内を昇降する。
【００１７】
なお、図１では、建築構造物の階床として、模式的に最下階１２０と最上階１３０のみを示している。しかし、建築構造物としては、３階床以上あるものであってもよい。そして、各階床には、乗場ドア１４０が設けられている。乗場ドア１４０は、乗りかご３が停止した際に乗りかご３に設けられた後述の乗りかごドア２２と対向する。そして、乗場ドア１４０は、乗りかごドア２２と共に開閉する。
【００１８】
［乗りかご］
次に、乗りかご３の構成について、図２を参照して説明する。
図２は、本発明の第１実施形態に係る乗りかご３を示す斜視図である。
【００１９】
図２に示すように、乗りかご３は、人や物等の積載物を積載するかご室２１と、かご室２１の出入り口２１Ａを開閉する乗りかごドア２２と、かご室２１の内部の気圧を制御する気圧制御装置としての送風機２３とを備えている。
【００２０】
かご室２１は、上下に長い長方体形状をしており、側方の四方向に設けられる側面パネル２４と、側面パネル２４を下部で支持する床２５と、側面パネル２４の上部に設けられる天井２６とを有している。乗りかご３の前側に配置された側面パネル２４Ａは、乗場ドア１４０と対向する。側面パネル２４Ａには、出入り口２１Ａが設けられている。
【００２１】
乗りかごドア２２は、２枚のドア部材２２Ａ，２２Ｂを有している。２枚のドア部材２２Ａ，２２Ｂは、側面パネル２４Ａに沿って水平方向に移動可能に構成されており、２枚のドア部材２２Ａ，２２Ｂの互いに対向する一辺が当接することにより、出入り口２１Ａを閉塞する。一方、２枚のドア部材２２Ａ，２２Ｂの互いに対向する一辺が離れることにより、出入り口２１Ａを開放する。
【００２２】
送風機２３は、天井２６の上に設置されており、かご室２１の外部の空気をその内部に圧送又は、かご室２１の内部の空気を外部に排出する。すなわち、送風機２３は、かご室２１の内部へ出し入れする空気量を調整することで、乗りかご３の内部の気圧を制御している。
【００２３】
なお、図２に示す乗りかご３は、１台の送風機２３を設置している。しかし、本発明に係る乗りかごとしては、複数台の送風機２３を設置してもよい。また、図２に示す乗りかご３は、送風機２３をかご室２１の天井２６に設置したが、送風機２３は、側面パネル２４や床２５に設置してもよい。
【００２４】
かご室２１と乗りかごドア２２との間に生じる隙間は、ドア気密装置３１によって塞がれ、かご室２１の気密性が保たれている。ドア気密装置３１は、かご室２１における出入り口２１Ａの上部及び乗りかごドア２２の上部に配置されている。なお、ドア気密装置３１は、ドア部材２２Ａ，２２Ｂに対してそれぞれ１つずつ設けられている。
【００２５】
［ドア気密装置の構成］
次に、ドア気密装置３１の構成について、図３を参照して説明する。
図３は、図２におけるＡ−Ａ断面の戸開状態を示す側断面図である。
【００２６】
図３に示すように、出入り口２１Ａの上部は、側面パネル２４Ａの構成の一部である天枠２９によって形成されている。ドア気密装置３１は、天枠２９に回転可能に取り付けられた気密機構ボディ３２と、押込み気密部材３３及び気密板３４と、被接触部材３５と、移動機構３６とを備えている。
【００２７】
気密機構ボディ３２は、ドア部材２２Ａ，２２Ｂ（乗りかごドア２２）の内面と平行な軸線である回転軸３８を中心に回転可能である。気密機構ボディ３２は、回転軸３８に沿って延びる略直方体状に形成されている。気密機構ボディ３２の長手方向の長さは、天枠２９の正面側における左右方向（ドア部材２２Ａ，２２Ｂが移動する方向）の長さと略同じに設定されている。
【００２８】
押込み気密部材３３は、気密機構ボディ３２のドア部材２２Ａ，２２Ｂ側に取り付けられている。この押込み気密部材３３は、ゴムなどの弾性部材によって帯状に形成されており、その長さは、気密機構ボディ３２の長手方向の長さと略同じに設定されている。そして、押込み気密部材３３は、被接触部材３５に対向しており、被接触部材３５に当接することで弾性変形する（図４参照）。
【００２９】
気密機構ボディ３２が回転軸３８を中心に回転すると、押込み気密部材３３は、ドア部材２２Ａ，２２Ｂと天枠２９（側面パネル２４Ａ）が対向する方向である水平方向（前後方向）と、乗りかごの昇降方向である鉛直方向とに変位する。
【００３０】
気密板３４は、天枠２９（側面パネル２４Ａ）と気密機構ボディ３２に固定されており、天枠２９（側面パネル２４Ａ）と気密機構ボディ３２との間に生じた隙間を塞いでいる。これにより、天枠２９と気密機構ボディ３２との間を通って、かご室２１の内部へ空気が流入、又は、かご室２１から外部へ空気が流出することを防止している。
【００３１】
また、気密板３４は、弾性変形可能な板状に形成されている。そのため、気密機構ボディ３２が回転軸３８を中心に回転して、天枠２９と気密機構ボディ３２との間に生じる隙間の大きさが変化すると、気密板３４が弾性変形する。
【００３２】
被接触部材３５は、ドア部材２２Ａ，２２Ｂに固定される固定部４１と、固定部４１に連続して水平方向に延びる水平部４２と、水平部４２に連続して鉛直方向の下方に延びる鉛直部４３とを有している。水平部４２は、水平方向と略平行な水平面を有する板状に形成されており、鉛直部４３は、鉛直方向と略平行な垂直面を有する板状に形成されている。
【００３３】
被接触部材３５の水平部４２及び鉛直部４３は、押込み気密部材３３と対向している。押込み気密部材３３は、水平方向（かご室２１の前後方向）及び鉛直方向に変位すると、被接触部材３５の水平部４２及び鉛直部４３に接触する。その結果、ドア部材２２Ａ，２２Ｂ（乗りかごドア２２）と気密機構ボディ３２（かご室２１）との間に生じる隙間が塞がれる。
【００３４】
移動機構３６は、ロッド５１と、係合ローラ５２と、傾斜カム５３とを有している。ロッド５１は、気密機構ボディ３２に設けられており、回転軸３８から所定の距離を空けて配置されている。係合ローラは、ロッド５１に回転可能に支持されており、水平方向（かご室２１の前後方向）に延びる回転軸を中心に回転する。
【００３５】
傾斜カム５３は、被接触部材３５の水平部４２と一体に形成されている。すなわち、傾斜カム５３は、ドア部材２２Ａ，２２Ｂに配置されている。この傾斜カム５３は、ドア部材２２Ａ，２２Ｂの互いに当接する側とは反対側に至るにつれて高くなるように傾斜している。傾斜カム５３には、係合ローラ５２が係合する。
【００３６】
ドア部材２２Ａ，２２Ｂの戸開時において、係合ローラ５２は、傾斜カム５３の低部に係合しており、ロッド５１が略垂直に延びている。このとき、押込み気密部材３３と被接触部材３５の水平部４２及び鉛直部４３とは、離れている。すなわち、ドア部材２２Ａ，２２Ｂの戸開時において、気密機構ボディ３２は、押込み気密部材３３と水平部４２及び鉛直部４３とが離れた状態になる姿勢で安定している。
【００３７】
具体的には、気密機構ボディ３２、押込み気密部材３３、ロッド５１、係合ローラ５２を合わせた重心が、気密機構ボディ３２が回転可能な範囲において、常に回転軸３８よりもドア部材２２Ａ，２２Ｂ側に位置するよう設計されている。その結果、係合ローラ５２が傾斜カム５３から離れている場合に、気密機構ボディ３２は、押込み気密部材３３と水平部４２及び鉛直部４３とが離れた状態になる姿勢で安定している。
【００３８】
なお、気密機構ボディ３２、押込み気密部材３３、ロッド５１、係合ローラ５２を合わせた重心の位置を調整するために、気密機構ボディ３２やロッド５１に、重りを取り付けてもよい。また、重心の位置を調整に代えて、押込み気密部材３３が被接触部材３５から離れる方向に気密機構ボディ３２を付勢するバネや別途駆動力を発生させる付勢部材を用いてもよい。
【００３９】
［ドア気密装置の動作］
次に、乗りかごドア２２の戸閉時におけるドア気密装置３１の動作について、図４及び図５を参照して説明する。
図４は、図２におけるＡ−Ａ断面の戸閉開状態を示す側断面図である。図５は、図４におけるＢ−Ｂ断面を示す平断面図である。
【００４０】
図４及び図５に示すように、ドア部材２２Ａ，２２Ｂを戸開状態から戸閉状態になるように移動すると、ドア部材２２Ａ，２２Ｂと一緒に傾斜カム５３が移動し、係合ローラ５２が傾斜カム５３の高部に位置する。これにより、係合ローラ５２は、傾斜カム５３に押されて係合ローラ５２の垂直方向の位置が変位する。その結果、気密機構ボディ３２は、回転軸３８を中心として係合ローラ５２がドア部材２２Ａ，２２Ｂから離れる方向に回転し、押込み気密部材３３が被接触部材３５の水平部４２及び鉛直部４３に接近する。
【００４１】
そして、ドア部材２２Ａ，２２Ｂが戸閉状態になる直前（例えば、数ｍｍ前）に、押込み気密部材３３が被接触部材３５の水平部４２及び鉛直部４３に接触（当接）する。その後、押込み気密部材３３は、被接触部材３５の水平部４２及び鉛直部４３上を摺動し、ドア部材２２Ａ，２２Ｂが戸閉状態になると、気密機構ボディ３２の回転角度が最大となり、押込み気密部材３３が被接触部材３５に密着する。その結果、ドア部材２２Ａ，２２Ｂ（乗りかごドア２２）と天枠２９（かご室２１）との間の隙間が塞がれる。
【００４２】
ドア部材２２Ａ，２２Ｂが戸閉状態になると、乗りかご３が昇降可能の状態となる。そして、送風機２３（図２参照）が動作することにより、乗りかご３のかご室２１に対する空気の出し入れが行われる。送風機２３がかご室２１へ空気を圧送する場合は、かご室２１の内部の気圧が、かご室２１の外部の気圧よりも高くなる。この気圧の差によって、ドア部材２２Ａ，２２Ｂは、かご室２１の外側に押し出され、ドア部材２２Ａ，２２Ｂと天枠２９との間に生じる隙間が大きくなる。
【００４３】
このとき、被接触部材３５は、ドア部材２２Ａ，２２Ｂと一緒にかご室２１の外側に移動し、被接触部材３５の鉛直部４３が押込み気密部材３３に押し付けられる。また、被接触部材３５の水平部４２と押込み気密部材３３との距離は変わらない。その結果、押込み気密部材３３と被接触部材３５が密着した状態が維持され、かご室２１の気密性は確保される。
【００４４】
また、送風機２３がかご室２１から外部へ空気を排出する場合は、かご室２１の内部の気圧が、かご室２１の外部の気圧よりも低くなる。この気圧差によって、ドア部材２２Ａ，２２Ｂは、かご室２１の内側へ押され、ドア部材２２Ａ，２２Ｂと天枠２９との間に生じる隙間が小さくなる。
【００４５】
このとき、被接触部材３５は、ドア部材２２Ａ，２２Ｂと一緒にかご室２１の内側に移動し、被接触部材３５の鉛直部４３が押込み気密部材３３から離れる方向に変位する。その結果、押込み気密部材３３の鉛直部４３への押込み量が減少する。しかし、被接触部材３５の水平部４２と押込み気密部材３３との距離は変わらないため、押込み気密部材３３の水平部４２への押込み量は変化しない。その結果、押込み気密部材３３と被接触部材３５が密着した状態が維持され、かご室２１の気密性は確保される。
【００４６】
また、ドア部材２２Ａ，２２Ｂを戸閉状態から戸開状態になるように移動すると、ドア部材２２Ａ，２２Ｂと一緒に傾斜カム５３が移動し、係合ローラ５２が傾斜カム５３の低部に位置する。これにより、傾斜カム５３の係合ローラ５２に対する押圧が弱くなり、気密機構ボディ３２は、押込み気密部材３３が被接触部材３５の水平部４２及び鉛直部４３から離れる方向に回転する。
【００４７】
その結果、ドア部材２２Ａ，２２Ｂが戸閉状態から戸開状態になるように移動すると、押込み気密部材３３の水平部４２及び鉛直部４３への押込み量が減少する。そして、係合ローラ５２が傾斜カム５３から離れると、押込み気密部材３３が被接触部材３５の水平部４２及び鉛直部４３から離れる。
【００４８】
このように、第１実施形態のドア気密装置３１では、送風機（気圧制御装置）２３による気圧制御でかご室２１の内外に気圧差が生じ、ドア部材２２Ａ，２２Ｂがかご室２１の外側、内側のどちらに押された場合でも、かご室２１の気密性を確保することができる。したがって、乗りかご３（かご室２１）の気密性を向上することができる。
【００４９】
また、ドア部材２２Ａ，２２Ｂの変形に追従するように、被接触部材３５に対する押込み気密部材３３の押込み量を大きくする必要が無い。その結果、ドア部材２２Ａ，２２Ｂの開閉を妨げないようにすることができる。
【００５０】
また、乗客が乗りかご３のかご室２１に乗り込むと、乗客の重さにより乗りかご３のかご室２１が沈下する。一方、ドア部材２２Ａ，２２Ｂ（乗りかごドア２２）は、かご室２１と独立した乗りかご枠に支持されていることから、乗客の乗り込みにより鉛直方向の位置が変化しない。したがって、乗客が乗りかご３のかご室２１に乗り込むと、押込み気密部材３３と被接触部材３５の水平部４２との距離が広がり、押込み気密部材３３の水平部４２への押込み量が減少する。
【００５１】
しかし、被接触部材３５の鉛直部４３と押込み気密部材３３との距離は変わらないため、押込み気密部材３３の鉛直部４３への押込み量は変化しない。その結果、乗客の乗り込みにより乗りかご３が沈下した場合でも、押込み気密部材３３と被接触部材３５が密着した状態が維持される。かご室２１の気密性は確保される。したがって、乗りかご３（かご室２１）の気密性を向上することができる。
【００５２】
また、気密機構ボディ３２、押込み気密部材３３、ロッド５１、係合ローラ５２を合わせた重心を、回転軸３８よりもドア部材２２Ａ，２２Ｂ側に位置するよう設計したため、気密機構ボディ３２を付勢する部材が必要ない。これにより、部品点数の削減することができ、ドア気密装置３１の軽量化、小型化を図ることができる。
【００５３】
＜第２実施形態＞
［ドア気密装置の構成］
次に、本発明の第２実施形態に係るドア気密装置の構成について、図６を参照して説明する。
図６は、本発明の第２実施形態に係る乗りかごの戸閉状態のドア気密装置を示す側断面図である。
【００５４】
本発明の第２実施形態に係るドア気密装置６１は、第１実施形態に係るドア気密装置３１と同様の構成を有しており、異なる構成は、被接触部材６５と移動機構６６である。そのため、ここでは、被接触部材６５と移動機構６６について説明し、ドア気密装置６１のその他の構成については、説明を省略する。
【００５５】
ドア気密装置６１は、気密機構ボディ３２と、押込み気密部材３３及び気密板３４と、被接触部材６５と、移動機構６６とを備えている。
【００５６】
被接触部材６５は、ドア部材２２Ａ，２２Ｂに固定される固定部４５と、固定部４５に連続して水平方向に延びる水平部４６と、水平部４６に連続して鉛直方向の下方に延びる鉛直部４７とを有している。水平部４６は、水平方向と略平行な水平面を有する板状に形成されており、鉛直部４７は、鉛直方向と略平行な垂直面を有する板状に形成されている。
【００５７】
被接触部材６５の水平部４６及び鉛直部４７は、押込み気密部材３３と対向している。押込み気密部材３３は、水平方向（かご室２１の前後方向）及び鉛直方向に変位すると、被接触部材６５の水平部４６及び鉛直部４７に接触する。その結果、ドア部材２２Ａ，２２Ｂ（乗りかごドア２２）と気密機構ボディ３２（かご室２１）との間に生じる隙間が塞がれる。
【００５８】
移動機構６６は、ロッド５１と、ソレノイドや直動モータなどの直動部材７１とを有している。ロッド５１は、気密機構ボディ３２に設けられており、回転軸３８から所定の距離を空けて配置されている。直動部材７１は、ドア部材２２Ａ，２２Ｂに固定されており、水平方向（かご室２１の前後方向）に往復運動可能なプランジャ―７１ａを有している。直動部材７１のプランジャ―７１ａは、水平方向（かご室２１の前後方向）でロッド５１と対向している。
【００５９】
気密機構ボディ３２、押込み気密部材３３、ロッド５１を合わせた重心は、気密機構ボディ３２が回転可能な範囲において、常に回転軸３８よりもドア部材２２Ａ，２２Ｂ側に位置するよう設計されている。その結果、直動部材７１のプランジャ―７１ａとロッド５１が離れている場合に、気密機構ボディ３２は、押込み気密部材３３と水平部４６及び鉛直部４７とが離れた状態になる姿勢で安定している。
【００６０】
［ドア気密装置の動作］
【００６１】
図６に示すように、ドア部材２２Ａ，２２Ｂを戸開状態から戸閉状態になるように移動して、ドア部材２２Ａ，２２Ｂが戸閉状態になる直前（例えば、数ｍｍ前）に、天枠２９に設けた不図示のセンサがドア部材２２Ａ，２２Ｂを検出する。この検出結果に基づいて、不図示の制御部が直動部材７１を駆動させる。すなわち、プランジャ―７１ａを天枠２９側に移動させる。
【００６２】
これにより、プランジャ―７１ａがロッド５１を押圧し、気密機構ボディ３２は、回転軸３８を中心としてロッド５１がドア部材２２Ａ，２２Ｂから離れる方向に回転し、押込み気密部材３３が被接触部材６５の水平部４６及び鉛直部４７に接触（当接）する。その結果、押込み気密部材３３が被接触部材６５に密着し、ドア部材２２Ａ，２２Ｂ（乗りかごドア２２）と天枠２９（かご室２１）との間の隙間が塞がれる。
【００６３】
また、ドア部材２２Ａ，２２Ｂを戸閉状態から戸開状態になるように移動すると、センサによるドア部材２２Ａ，２２Ｂの検出が終了する。この結果に基づいて、不図示の制御部が直動部材７１を駆動させる。すなわち、プランジャ―７１ａをドア部材２２Ａ，２２Ｂ側に移動させる。
【００６４】
これにより、ロッド５１は、プランジャ―７１ａによる押圧から解放され、気密機構ボディ３２は、回転軸３８を中心としてロッド５１がドア部材２２Ａ，２２Ｂに接近する方向に回転し、押込み気密部材３３が被接触部材６５の水平部４６及び鉛直部４７から離れる。
【００６５】
第２実施形態のドア気密装置６１においても、第１実施形態のドア気密装置３１と同様の効果を得ることができる。すなわち、送風機２３（図２参照）による気圧制御でかご室２１の内外に気圧差が生じ、ドア部材２２Ａ，２２Ｂが乗りかご３の外側、内側のどちらに押された場合でも、かご室２１の気密性を確保することができる。
【００６６】
また、ドア部材２２Ａ，２２Ｂの変形に追従するように、被接触部材６５に対する押込み気密部材３３の押込み量を大きくする必要が無い。その結果、ドア部材２２Ａ，２２Ｂの開閉を妨げないようにすることができる。さらに、乗客の乗り込みにより乗りかご３が沈下した場合でも、押込み気密部材３３と被接触部材６５が密着した状態が維持され、かご室２１の気密性は確保される。
【００６７】
［変形例］
以上、本発明の乗りかごドア気密装置及びエレベーター装置の実施形態について、その作用効果も含めて説明した。しかしながら、本発明の乗りかごドア気密装置及びエレベーター装置は、上述の実施形態に限定されるものではなく、特許請求の範囲に記載した発明の要旨を逸脱しない範囲内で種々の変形実施が可能である。
【００６８】
例えば、上述した実施形態では、被接触部材３５（６５）の水平部４２（４６）及び鉛直部４３（４７）に押込み気密部材３３を密着させる構成にした。しかし、本発明に係る乗りかごドア気密装置としては、少なくとも被接触部材の水平部に押込み気密部材を密着させる構成であればよい。
【００６９】
すなわち、被接触部材の水平部と押込み気密部材との距離は、ドア部材（乗りかごドア）がかご室の外側又は内側に押されても変化しない。そのため、被接触部材の水平部と押込み気密部材が密着していれば、かご室２１の気密性を確保することができる。
【００７０】
また、上述した実施形態では、気密機構ボディ３２を回転させて押込み気密部材３３を変位させる構成にした。しかし、本発明に係る乗りかごドア気密装置としては、被接触部材に押込み気密部材を密着させることができれば、気密機構ボディの移動は回転に限定されない。
【００７１】
例えば、被接触部材の水平部のみに押込み気密部材を密着させる構成にする場合は、気密機構ボディを鉛直方向に移動させればよい。また、気密機構ボディを斜めに直線移動させる構成を採用すれば、押込み気密部材を水平方向及び鉛直方向へ変位させて、被接触部材の水平部及び鉛直部に押込み気密部材を密着させることができる。
【００７２】
また、上述の第１実施形態の移動機構３６は、ロッド５１と、係合ローラ５２と、傾斜カム５３とにより構成した。また。第２実施形態の移動機構６６は、ロッド５１と、直動部材７１とにより構成した。しかし、本発明に係る移動機構としては、ドア部材２２Ａ，２２Ｂの戸閉時に気密機構ボディ３２を回転させるものであれば、種々の機構を採用することができる。
【００７３】
移動機構としては、例えば、ステッピングモータと、ステッピングモータのシャフトの回転を、気密機構ボディ３２の回転軸３８に伝える歯車とにより構成してもよい。この場合は、第２実施形態と同様に、ドア部材２２Ａ，２２Ｂの戸閉を検出するセンサを用いて、気密機構ボディ３２を回転させるタイミングを設定する。
【００７４】
また、移動機構としては、ロッドと、ドア部材２２Ａ，２２Ｂに固定された係合突部とにより構成してもよい。この場合は、ドア部材２２Ａ，２２Ｂの戸閉時に、係合突部がロッドに接触して、ロッドを天枠２９側に押圧する。
【００７５】
また、上述の第１及び第２実施形態では、乗りかごドア２２から離れるように気密機構ボディ３２を回転させ、被接触部材３５の水平部４２（４６）及び鉛直部４３（４７）に押込み気密部材３３を接触させる構成にした。しかし、本発明に係る乗りかごドア気密装置としては、乗りかごドアから離れるように気密機構ボディを回転させ、被接触部材の水平部及び鉛直部に押込み気密部材を接触させる構成にしてもよい。この場合は、乗りかごドアのかご室側を向く面を被接触部材の鉛直部としてもよい。
【００７６】
また、上述の第１実施形態では、傾斜カム５３と被接触部材３５とを一体に形成する構成とした。これにより、ドア気密装置３１の部品点数を削減することができ、ドア気密装置３１の組立工数の削減を図ることができる。なお、本発明に係る乗りかごドア気密装置としては、傾斜カムと、被接触部材とをそれぞれ別々に設ける構成にしてもよい。これにより、傾斜カムが摩耗した場合に、傾斜カムのみを交換することができる。
【００７７】
また、上述の第１実施形態では、傾斜カム５３と係合ローラ５２を一対設ける構成とした。しかし、本発明に係る乗りかごドア気密装置としては、傾斜カムと係合ローラの対を複数設ける構成としてもよい。これにより、１つの傾斜カム又は１つの係合ローラが破損しても、別の対の傾斜カム及び係合ローラによって気密機構ボディを回転させることができる。
【符号の説明】
【００７８】
１…エレベーター装置、  ５…主ロープ、  ６…シーブ、  ７…巻上機、  ８…そらせ車、  ２１…かご室、  ２２…乗りかごドア、  ２２Ａ，２２Ｂ…ドア部材、  ２３…送風機（気圧制御装置）、  ２４…側面パネル、  ２５…床、  ２６…天井、  ２９…天枠、  ３１，６１…ドア気密装置、  ３２…気密機構ボディ、  ３３…押込み気密部材、  ３４…気密板、  ３５，６５…被接触部材、  ３６，６６…移動機構、  ３８…回転軸、  ４１，４５…固定部、  ４２，４６…水平部、  ４３，４７…鉛直部、  ５１…ロッド、  ５２…係合ローラ、  ５３…傾斜カム、  ７１…直動部材、  １００…昇降路、  １１０…機械室、  １２０…最下階、  １３０…最上階、  １４０…乗場ドア
【図１】
0006502864.tif 000002
【図２】
0006502864.tif 000003
【図３】
0006502864.tif 000004
【図４】
0006502864.tif 000005
【図５】
0006502864.tif 000006
【図６】
0006502864.tif 000007